(57)【要約】【課題】熱利用効率に優れ、運転コストを低減することができる蓄熱ヒータを提供する。【解決手段】燃焼炉２が、熱を蓄える蓄熱材で囲まれた燃焼室を内部に有し、燃焼室で木材を燃焼させて蓄熱材を加熱可能に設けられている。燃焼炉２は、燃焼室で発生した燃焼ガスを排出するための排気口１５を有している。送風管３が、燃焼室の上部を横断貫通して、両端が燃焼炉２の外部に配置されるよう設けられている。送風ファン４が、送風管３の内部に送風可能に、送風管３の一端３ａに設けられている。排気管７が、燃焼室に連通するよう排気口１５に接続されている。断熱性の開閉部材が、排気口１５を開閉可能に設けられている。【選択図】図１
0003140868.tif 000002
【実用新案登録請求の範囲】
【請求項１】
燃焼炉と送風管と送風ファンとを有し、
前記燃焼炉は熱を蓄える蓄熱材で囲まれた燃焼室を内部に有し、前記燃焼室で木材を燃焼させて前記蓄熱材を加熱可能に設けられ、
前記送風管は前記燃焼室の上部を横断貫通して両端が前記燃焼炉の外部に配置されるよう設けられ、
前記送風ファンは前記送風管の内部に送風可能に、前記送風管の一端に設けられていることを、
特徴とする蓄熱ヒータ。
【請求項２】
排気管と開閉部材とを有し、
前記燃焼炉は前記燃焼室で発生した燃焼ガスを排出するための排気口を有し、
前記排気管は前記排気口に接続され、
前記開閉部材は断熱性を有し、前記排気口を開閉可能に設けられていることを、
特徴とする請求項１記載の蓄熱ヒータ。
【請求項３】
前記燃焼炉は、前記燃焼室で発生した燃焼ガスに含まれる一酸化炭素を燃焼可能に、前記燃焼室に連通して設けられた二次燃焼室と、外部の空気を前記二次燃焼室に供給するための空気供給路とを有し、
前記排気口は前記二次燃焼室に設けられ、
前記燃焼炉は外面を覆うよう設けられた断熱性の被覆材を有することを、
特徴とする請求項２記載の蓄熱ヒータ。
【請求項４】
前記蓄熱材は耐火煉瓦から成り、
前記燃焼炉は前記燃焼室の側壁の内面との間に前記蓄熱材を１列で上下方向に積み重ね可能な煉瓦積上げスペースを複数仕切って形成する煉瓦保持部材を有し、前記蓄熱材は各煉瓦積上げスペースで前記煉瓦保持部材により前記内面に沿うよう拘束されてそれぞれ１列で積み重ねられていることを、
特徴とする請求項１、２または３記載の蓄熱ヒータ。
【考案の詳細な説明】
【技術分野】
【０００１】
本考案は、蓄熱ヒータに関する。
【背景技術】
【０００２】
従来の蓄熱ヒータとして、蓄熱ブロックと、蓄熱ブロックを電力を用いて加熱するヒータと、蓄熱ブロックに通風して温風を発生させるファンと、蓄熱ブロックが一定の温度を超えるとヒータへの通電を停止させるとともにファンを動作させる過熱防止装置とを備えた蓄熱暖房器がある（例えば、特許文献１参照）。
【０００３】
【特許文献１】特許第２９２２０３３号公報
【考案の開示】
【考案が解決しようとする課題】
【０００４】
しかしながら、特許文献１記載の蓄熱暖房器は、ファンにより蓄熱ブロックに直接風を当てるため、蓄熱ブロックが早く冷えてしまい、蓄熱による熱利用効率が悪いという課題があった。また、蓄熱ブロックを電力を用いたヒータで加熱するため、電気代が嵩むという課題もあった。
【０００５】
本考案は、このような課題に着目してなされたもので、熱利用効率に優れ、運転コストを低減することができる蓄熱ヒータを提供することを目的としている。
【課題を解決するための手段】
【０００６】
上記目的を達成するために、本考案に係る蓄熱ヒータは、燃焼炉と送風管と送風ファンとを有し、前記燃焼炉は熱を蓄える蓄熱材で囲まれた燃焼室を内部に有し、前記燃焼室で木材を燃焼させて前記蓄熱材を加熱可能に設けられ、前記送風管は前記燃焼室の上部を横断貫通して両端が前記燃焼炉の外部に配置されるよう設けられ、前記送風ファンは前記送風管の内部に送風可能に、前記送風管の一端に設けられていることを、特徴とする。
【０００７】
本考案に係る蓄熱ヒータは、暖房器やボイラー等として、以下のようにして使用される。まず、熱を蓄える蓄熱材で囲まれた燃焼室で、燃料となる木材を燃焼させ、蓄熱材および燃焼室内を加熱する。これにより、燃焼室の上部を横断貫通する送風管の内部の空気を温めることができる。送風ファンにより、送風管の内部の温められた空気を、送風管の他端側に送風する。この温風を、湯沸かし、風呂の保温、温風ファン、床暖房、水道管凍結防止、屋根の融雪、敷地内の融雪など、多目的に利用することができる。
【０００８】
蓄熱材に蓄えられた熱により、燃焼室内が高温に保たれ、送風管の内部の空気も温められるため、木材の燃焼終了後でも温風を供給することができる。蓄熱材に直接風を当てる場合と比べて蓄熱材が冷めにくいため、蓄熱効果を長時間維持することができ、蓄熱による熱利用効率に優れている。電力や石油・灯油よりも安価な木材を燃焼させて、蓄熱材および燃焼室内を加熱するため、運転コストを低減することができる。
【０００９】
本考案に係る蓄熱ヒータで、蓄熱材は、例えば耐火煉瓦や耐火コンクリート等から成ることが好ましい。燃料の木材は、運転コストをより低減するために、薪や建築廃材等から成ることが好ましい。送風ファンは、手動でＯＮ／ＯＦＦ可能な電源スイッチや、送風量を調節可能な調整スイッチを有していることが好ましい。また、送風ファンは、燃焼室や送風管の内部に設置された温度センサによる温度に応じて自動運転制御可能であってもよい。
【００１０】
本考案に係る蓄熱ヒータは、排気管と開閉部材とを有し、前記燃焼炉は前記燃焼室で発生した燃焼ガスを排出するための排気口を有し、前記排気管は前記燃焼室に連通するよう前記排気口に接続され、前記開閉部材は断熱性を有し、前記排気口を開閉可能に設けられていてもよい。この場合、燃焼中は排気口を開けて、排気管から燃焼ガスを排出し、燃焼終了後は断熱性の開閉部材で排気口を閉じる。これにより、燃焼終了後に、燃焼室内の熱が排気管から逃げるのを防ぎ、蓄熱効果が低下するのを防止することができる。
【００１１】
本考案に係る蓄熱ヒータで、前記燃焼炉は、前記燃焼室で発生した燃焼ガスに含まれる一酸化炭素を燃焼可能に、前記燃焼室に連通して設けられた二次燃焼室と、外部の空気を前記二次燃焼室に供給するための空気供給路とを有し、前記排気口は前記二次燃焼室に設けられ、前記燃焼炉は外面を覆うよう設けられた断熱性の被覆材を有していてもよい。この場合、燃焼室での不完全燃焼により発生した一酸化炭素を、二次燃焼室で完全燃焼させることができるため、排気口から有毒な一酸化炭素を排出するのを防ぐことができる。また、断熱性の被覆材により、燃焼室内の熱が燃焼炉の外面から逃げるのを防ぐことができ、蓄熱効果をさらに高めることができる。
【００１２】
本考案に係る蓄熱ヒータで、前記蓄熱材は耐火煉瓦から成り、前記燃焼炉は前記燃焼室の側壁の内面との間に前記蓄熱材を１列で上下方向に積み重ね可能な煉瓦積上げスペースを複数仕切って形成する煉瓦保持部材を有し、前記蓄熱材は各煉瓦積上げスペースで前記煉瓦保持部材により前記内面に沿うよう拘束されてそれぞれ１列で積み重ねられていることが好ましい。この場合、各煉瓦積上げスペースに蓄熱材を積み上げていくだけで容易に蓄熱材を側面の内面に沿って設けることができる。また、煉瓦保持部材により蓄熱材が崩れるのを防ぐことができる。
【考案の効果】
【００１３】
本考案によれば、熱利用効率に優れ、運転コストを低減することができる蓄熱ヒータを提供することができる。
【考案を実施するための最良の形態】
【００１４】
以下、図面に基づき、本考案の実施の形態について説明する。
図１は、本考案の第１の実施の形態の蓄熱ヒータを示している。
図１に示すように、蓄熱ヒータ１は、燃焼炉２と送風管３と送風ファン４と排気台５とスペーサ６と排気管７と開閉部材（図示せず）とを有している。
【００１５】
図１に示すように、燃焼炉２は、概ね直方体形の外形を成し、内部に燃焼室を有し、基礎１１と側壁１２と天井１３とを有している。基礎１１は、耐火煉瓦を２段に積み重ねて形成されている。側壁１２は、鋼板製で、燃焼室の側方を取り囲むよう、基礎１１の上に取り付けられている。天井１３は、鋼板製で、燃焼室の上部を覆うよう、側壁１２の上に取り付けられている。側壁１２および天井１３は、燃焼室に面した内壁面に、耐火煉瓦が貼り付けられている。これにより、燃焼室は、内部の６面が、熱を蓄える蓄熱材である耐火煉瓦で囲まれている。燃焼室は、内部で木材を燃焼させて、蓄熱材である耐火煉瓦を加熱可能になっている。
【００１６】
燃焼炉２は、一つの側壁１２に、燃料の木材を燃焼室に入れるための開閉扉１４を有している。また、燃焼炉２は、天井１３の中央に、燃焼室内で発生した燃焼ガスを排出するための排気口１５を有している。
【００１７】
図１に示すように、送風管３は、燃焼室の上部を横断貫通するよう設けられている。送風管３は、両端が燃焼炉２の側壁１２を貫通して燃焼炉２の外部に配置されている。
送風ファン４は、燃焼炉２の外部で、送風管３の一端３ａにそれぞれ設けられている。送風ファン４は、送風管３の他端３ｂに向かって、送風管３の内部に送風可能になっている。送風ファン４は、手動でＯＮ／ＯＦＦ可能な電源スイッチ（図示せず）および送風量を「強」「弱」に調整可能な調整スイッチ（図示せず）を有している。
【００１８】
なお、送風管３は、１本でもよく、複数本であってもよい。送風管３が複数本のとき、送風ファン４は、送風管３と同数から成り、各送風管３の一端３ａにそれぞれ設けられる。図１に示す具体的な一例では、送風管３は３本から成り、送風ファン４も３つから成っている。
【００１９】
図１に示すように、排気台５は、排気口１５を挟んで互いに間隔を開けて燃焼炉２の天井１３の上に設けられた１対の脚部１６と、各脚部１６の上部に架け渡された設置板１７とを有している。設置板１７は、排気口１５の直上に対応する位置に、排気口１５と同じ径の接続孔１８を有している。
【００２０】
スペーサ６は、排気台５の各脚部１６と設置板１７と燃焼炉２の天井１３とで囲まれた空間に、着脱可能に挿入されている。スペーサ６は、その空間に挿入されたとき排気口１５と接続孔１８とを連通するよう、厚みを貫通して設けられた貫通孔１９を有している。貫通孔１９は、排気口１５と同じ径を有している。
【００２１】
排気管７は、設置板１７の接続孔１８に、上方に伸びるよう取り付けられている。これにより、排気管７は、接続孔１８および貫通孔１９を介して燃焼室に連通するよう排気口１５に接続されている。
【００２２】
開閉部材は、耐火煉瓦から成り、断熱性を有している。開閉部材は、排気台５の各脚部１６と設置板１７と燃焼炉２の天井１３とで囲まれた空間に、挿入可能に設けられている。開閉部材は、その空間に挿入されたとき、排気口１５を塞ぐようになっている。こうして、蓄熱ヒータ１は、スペーサ６と開閉部材とを交換することにより、排気口１５を開閉可能になっている。
【００２３】
次に、作用について説明する。
蓄熱ヒータ１は、暖房器やボイラー等として、以下のようにして使用される。まず、熱を蓄える蓄熱材の耐火煉瓦で囲まれた燃焼室で、燃料となる木材を燃焼させ、耐火煉瓦および燃焼室内を加熱する。これにより、燃焼室の上部を横断貫通する送風管３の内部の空気を温めることができる。送風ファン４により、送風管３の内部の温められた空気を、送風管３の一端３ａ側から他端３ｂ側に送風する。送風管３の他端３ｂにパイプを接続し、この温風を所望の場所に引いて利用することにより、湯沸かし、風呂の保温、温風ファン、床暖房、水道管凍結防止、屋根の融雪、敷地内の融雪など、多目的に利用することができる。
【００２４】
蓄熱材の耐火煉瓦に蓄えられた熱により、燃焼室内が高温に保たれ、送風管３の内部の空気も温められるため、木材の燃焼終了後でも温風を供給することができる。このように、燃焼中だけでなく燃焼終了後でも、送風ファン４を稼働して温風を供給することができる。燃焼室内の空気を動かさないため、蓄熱材に直接風を当てる場合と比べて耐火煉瓦が冷めにくい。このため、蓄熱効果を長時間維持することができ、蓄熱による熱利用効率に優れている。
【００２５】
電力や石油・灯油よりも安価な木材を燃焼させて、耐火煉瓦および燃焼室内を加熱するため、運転コストを低減することができる。また、燃料の木材として、より安価に入手できる薪や建築廃材等を使用することにより、運転コストをさらに低減することができる。また、燃焼終了後の蓄熱効果が長時間維持されるため、燃焼時間を短縮して燃料費を低減することができるとともに、二酸化炭素の排出量を抑制することもできる。
【００２６】
蓄熱ヒータ１は、燃焼中、排気台５の各脚部１６と設置板１７と燃焼炉２の天井１３とで囲まれた空間にスペーサ６を挿入して排気口１５を開け、排気管７から燃焼ガスを排出することができる。また、燃焼終了後は、スペーサ６を外して開閉部材に交換することにより、排気口１５を閉じることができる。これにより、燃焼終了後に、燃焼室内の熱が排気管７から逃げるのを防ぎ、蓄熱効果が低下するのを防止することができる。また、断熱性の開閉部材により排気管７の根元で排気口１５を閉じるため、排気管７が断熱性に劣る金属製等であっても、熱交換によって排気管７の側面から熱が逃げず、蓄熱効果の低下を防止することができる。
【００２７】
図１に示す具体的な一例では、蓄熱ヒータ１を暖房に利用する場合、一日一回４時間、または一日２回２時間ずつ燃焼させ、送風ファン４の送風量を燃焼中は「強」に、燃焼終了後は「弱」に設定することにより、一日２４時間の暖房効果を得ることかできる。暖房する建物の広さに応じた大きさの燃焼炉２を備えた蓄熱ヒータ１を使用することにより、一般家屋やアパートなどで利用することができる。
【００２８】
なお、蓄熱ヒータ１で、燃焼炉２は外面を覆うよう設けられた断熱性の被覆材を有していてもよい。この場合、断熱性の被覆材により、燃焼室内の熱が燃焼炉２の外面から逃げるのを防ぐことができ、蓄熱効果をさらに高めることができる。
また、側壁１２および天井１３の内壁面に貼り付けられた耐火煉瓦は、燃焼室側にさらに耐火煉瓦を取付け可能なフックを有していてもよい。この場合、フックに他の耐火煉瓦を取り付けて、蓄熱材の耐火煉瓦の厚さを増し、蓄熱量を増やすことができる。
【００２９】
図２乃至図４は、本考案の第２の実施の形態の蓄熱ヒータを示している。
図２乃至図４に示すように、蓄熱ヒータ５１は、燃焼炉５２と送風管５３と送風ファン（図示せず）と排気管５４と開閉部材５５とを有している。
【００３０】
図２乃至図４に示すように、燃焼炉５２は、上部がアーチ状の細長い蒲鉾状の外形を成し、内部の下部に一次燃焼室６１を有し、上部に二次燃焼室６２を有している。燃焼炉５２は、基礎６３と側壁６４と天井６５とを有している。基礎６３は、耐火煉瓦を２段に積み重ねて形成されている。側壁６４は、鋼板製で、一次燃焼室６１の側方を取り囲むよう、基礎６３の上に取り付けられている。天井６５は、鋼板製でアーチ状を成し、二次燃焼室６２の上部を覆うよう、側壁６４の上に取り付けられている。側壁６４および天井６５は、一次燃焼室６１および二次燃焼室６２に面した内壁面に、耐火煉瓦が取り付けられている。図４（ｂ）に示すように、燃焼炉５２は、一次燃焼室６１の側壁６４の内面に沿って上下方向に伸びるよう設けられた、断面がＴ字またはＬ字の鋼材から成る複数の煉瓦保持部材６６を有している。一次燃焼室６１の側壁６４は、耐火煉瓦を一次燃焼室６１の側壁６４の上部から、隣り合う煉瓦保持部材６６の間に挿入して積み上げることにより、耐火煉瓦を並べて配置するようになっている。煉瓦保持部材６６により一次燃焼室６１の側壁６４の内面との間に煉瓦積上げスペースが複数仕切られて形成され、煉瓦積上げスペースには耐火煉瓦を１列で上下方向に積み重ね可能となっている。耐火煉瓦は、各煉瓦積上げスペースで煉瓦保持部材６６により側壁６４の内面に沿うよう拘束されてそれぞれ１列で積み重ねられている。一次燃焼室６１および二次燃焼室６２は、内面全体が蓄熱材となる耐火煉瓦で囲まれている。このように、各煉瓦積上げスペースに耐火煉瓦を積み上げていくだけで容易に耐火煉瓦を側面６４の内面に沿って設けることができる。また、煉瓦保持部材６６により耐火煉瓦が崩れるのを防ぐことができる。
なお、耐火煉瓦は２重になるように積み上げてもよい。
【００３１】
図４（ａ）に示すように、燃焼炉５２は、一次燃焼室６１と二次燃焼室６２との隔壁６７に、一次燃焼室６１から二次燃焼室６２に連通する１対の連通孔６８を有している。また、燃焼炉５２は、外部の空気を二次燃焼室６２に供給するよう、正面側の側壁６４の下部から耐火煉瓦の内部を通って二次燃焼室６２の各連通孔６８付近まで伸びた、１対の空気供給路６９を有している。こうして、燃焼炉５２は、一次燃焼室６１の内部で木材を燃焼させて、蓄熱材である耐火煉瓦を加熱可能になっている。また、燃焼炉５２は、二次燃焼室６２の内部で、一次燃焼室６１で発生した燃焼ガスに含まれる一酸化炭素を燃焼可能になっている。
【００３２】
燃焼炉５２は、一次燃焼室６１の下部に、一次燃焼室６１を上部と下部とに分割するよう設けられたロストル７０を有している。燃焼炉５２は、正面側の側壁６４の中央部に、燃料の木材を一次燃焼室６１のロストル７０の上部空間に入れるための開閉扉７１と、開閉扉７１に設けられた、一次燃焼室６１の燃焼状態を確認するための断熱３重窓７２とを有している。燃焼炉５２は、一次燃焼室６１のロストル７０の下部空間に空気を供給するよう、正面側の側壁６４の下部に、横方向に細長い換気口７３と、換気口７３に沿ってスライド可能に設けられたシロッコファン７４とを有している。燃焼炉５２は、シロッコファン７４が換気口７３に沿ってスライドして換気口７３を塞ぐときシロッコファン７４が稼働し、換気口７３を開けたときシロッコファン７４が停止するよう構成された接点スイッチ７５を有している。
【００３３】
燃焼炉５２は、正面側の側壁６４の上部に、二次燃焼室６２の燃焼を確認するための点検扉７６を有している。燃焼炉５２は、背面側の側壁６４の上部に、二次燃焼室６２内で発生した燃焼ガスを排出するための排気口７７を有している。
【００３４】
図２乃至図４に示すように、送風管５３は、二次燃焼室６２の内部を横断貫通するよう設けられている。送風管５３は、両端が二次燃焼炉５２の両側の側壁６４を貫通して燃焼炉５２の外部に配置されている。送風ファンは、燃焼炉５２の外部で、送風管５３の一端にそれぞれ設けられている。送風ファンは、送風管５３の他端に向かって、送風管５３の内部に送風可能になっている。送風ファンは、手動でＯＮ／ＯＦＦ可能な電源スイッチおよび送風量を「強」「弱」に調整可能な調整スイッチを有している。
【００３５】
なお、送風管５３は、１本でもよく、複数本であってもよい。送風管５３が複数本のとき、送風ファンは、送風管５３と同数から成り、各送風管５３の一端にそれぞれ設けられる。図２乃至図４に示す具体的な一例では、送風管５３は６本から成り、送風ファンも６つから成っている。
【００３６】
排気管５４は、二次燃焼室６２に連通するよう、燃焼炉５２の排気口７７に接続されている。図２および図３に示すように、開閉部材５５は、板状で断熱性を有し、燃焼炉５２の天井６５を貫通して二次燃焼室６２の排気口７７の前に配置されるよう設けられている。開閉部材５５は、排気口７７より大きい表面積を有し、上下方向にスライドさせることにより、排気口７７を開閉するようになっている。
【００３７】
次に、作用について説明する。
蓄熱ヒータ５１は、暖房器やボイラー等として、以下のようにして使用される。まず、熱を蓄える蓄熱材の耐火煉瓦で囲まれた一次燃焼室６１で、燃料となる木材を燃焼させ、耐火煉瓦および一次燃焼室６１内を加熱する。このとき、一次燃焼室６１で発生した燃焼ガスが、各連通孔６８を通って二次燃焼室６２に入る。この燃焼ガスを、二次燃焼室６２内で燃焼させ、耐火煉瓦および二次燃焼室６２内を加熱する。これにより、二次燃焼室６２の内部を横断貫通する送風管５３の内部の空気を温めることができる。送風ファンにより、送風管５３の内部の温められた空気を、送風管５３の一端側から他端側に送風する。送風管５３の他端にパイプを接続し、この温風を所望の場所に引いて利用することにより、湯沸かし、風呂の保温、温風ファン、床暖房、水道管凍結防止、屋根の融雪、敷地内の融雪など、多目的に利用することができる。
【００３８】
蓄熱材の耐火煉瓦に蓄えられた熱により、一次燃焼室６１および二次燃焼室６２内が高温に保たれ、送風管５３の内部の空気も温められるため、木材の燃焼終了後でも温風を供給することができる。このように、燃焼中だけでなく燃焼終了後でも、送風ファンを稼働して温風を供給することができる。一次燃焼室６１および二次燃焼室６２内の空気を動かさないため、蓄熱材に直接風を当てる場合と比べて耐火煉瓦が冷めにくい。このため、蓄熱効果を長時間維持することができ、蓄熱による熱利用効率に優れている。
【００３９】
電力や石油・灯油よりも安価な木材を燃焼させて、耐火煉瓦および一次燃焼室６１および二次燃焼室６２内を加熱するため、運転コストを低減することができる。また、燃料の木材として、より安価に入手できる薪や建築廃材等を使用することにより、運転コストをさらに低減することができる。また、燃焼終了後の蓄熱効果が長時間維持されるため、燃焼時間を短縮して燃料費を低減することができるとともに、二酸化炭素の排出量を抑制することもできる。一次燃焼室６１での不完全燃焼により発生した一酸化炭素を、二次燃焼室６２で完全燃焼させることができるため、排気口７７から有毒な一酸化炭素を排出するのを防ぐことができる。
【００４０】
蓄熱ヒータ５１は、燃焼中、開閉部材５５を上げて排気口７７を開け、排気管５４から燃焼ガスを排出することができる。また、燃焼終了後は、開閉部材５５を下げて排気口７７を閉じることにより、一次燃焼室６１および二次燃焼室６２内の熱が排気管５４から逃げるのを防ぎ、蓄熱効果が低下するのを防止することができる。また、断熱性の開閉部材５５により排気管５４の根元で排気口７７を閉じるため、排気管５４が断熱性に劣る金属製等であっても、熱交換によって排気管５４の側面から熱が逃げず、蓄熱効果の低下を防止することができる。
【００４１】
なお、蓄熱ヒータ５１で、燃焼炉５２は外面を覆うよう設けられた断熱性の被覆材を有していてもよい。この場合、断熱性の被覆材により、一次燃焼室６１および二次燃焼室６２内の熱が燃焼炉５２の外面から逃げるのを防ぐことができ、蓄熱効果をさらに高めることができる。
【図面の簡単な説明】
【００４２】
【図１】本考案の第１の実施の形態の蓄熱ヒータを示す斜視図である。
【図２】本考案の第２の実施の形態の蓄熱ヒータを示す斜視図である。
【図３】図２に示す蓄熱ヒータの垂直横断面図である。
【図４】図２に示す蓄熱ヒータの（ａ）Ａ−Ａ線断面図、（ｂ）Ｂ−Ｂ線断面図である。
【符号の説明】
【００４３】
１  蓄熱ヒータ
２  燃焼炉
３  送風管
４  送風ファン
５  排気台
６  スペーサ
７  排気管
１１  基礎
１２  側壁
１３  天井
１４  開閉扉
１５  排気口
１６  脚部
１７  設置板
１８  接続孔
１９  貫通孔
【図１】
0003140868.tif 000003
【図２】
0003140868.tif 000004
【図３】
0003140868.tif 000005
【図４】
0003140868.tif 000006